(57)【特許請求の範囲】
【請求項１】
パチンコ用の遊技球を打球発射装置(F)により遊技盤(G)内に打込んでパチンコゲームを展開し得る遊技機に実施されて、遊技球を１球ずつ発射レール(7)の発射位置(T)に送込むようにした球送り装置にあって、
遊技機の前側に開閉可能に装着された上球皿(D)の裏側所定位置に取着セットされるケース体(33)と、このケース体(33)内に組付けられて前記打球発射装置(F)の打球作動にタイミングを合わせて作動される球送りソレノイド(39)と、同じくケース体(33)内に組付けられて該球送りソレノイド(39)の作動毎に球送り動作を行なう球送り体(43)とを備え、
前記ケース体(33)では、前記上球皿(D)の球出口(9)に連通されると共に前記発射位置(T)側に連絡可能とされて遊技球１球分の広さに設定された通路(34)を形成し、
前記球送り体(43)は、
前記球送りソレノイド(39)が消磁した際に下降してケース体(33)内に設けられた第１のストッパー(50)により下降端位置に保持された第１の規制状態と、該球送りソレノイド(39)が励磁した際に上昇してケース体(33)内に設けられた第２のストッパー(49)により上昇位置に保持された第２の規制状態とに昇降揺動変化可能に構成されると共に、
前記第１の規制状態において、前記通路(34)入口側の球受け口(35)に臨んで、前記球出口(9)に臨む最先行の遊技球を停止させ通路(34)内への流入を阻止すると共に、前記第２の規制状態において、該球受け口(35)外に位置して前記最先行の遊技球を解放して通路(34)内への流入を許容する第１規制部(45)と、
前記第１規制部(45)に対して遊技球の１球分の内法間隔で前記通路(34)出口側に離間し、前記第１の規制状態において通路(34)出口側の球送り口(36)外に位置して通路(34)内の遊技球を解放して発射位置(T)へ自重で転出させると共に、前記第２の規制状態において該球送り口(36)に臨んで受入れられた遊技球を通路(34)内に停止させる第２規制部(46)とを備え、
前記球送り体(43)の第１,第２の規制状態の変化により前記球出口(9)から遊技球を１球毎にケース体(33)内に受入れて球圧を受けることなく分離したまま発射位置(T)に送出するよう設定されると共に、前記第１の規制状態が作動前の状態とされて、この状態ではケース体(33)内に遊技球が残留しないようにした
ことを特徴とするパチンコ遊技機の球送り装置。
【請求項２】
前記ケース体(33)は、前記通路(34)に臨む所定位置に同通路(34)内に受入れられる遊技球の有無を検出する検出具(52)を備え、該検出具(52)が球なしを検出した際に前記球送りソレノイド(39)を停止させるようにした請求項１記載のパチンコ遊技機の球送り装置。
【発明の詳細な説明】
【０００１】
【発明の属する技術分野】
この発明は、パチンコ遊技機の球送り装置に係り、更に詳しくは、遊技盤内でパチンコゲームを展開し得る遊技機において、打球発射操作作動に関連して遊技球を１球ずつ機内の発射位置に送り込むようにした球送り装置に関するものである。
【０００２】
【従来の技術】
パチンコ機やアレンジボール機に代表されるこの種の遊技機では、パチンコゲーム用の遊技球を１球ずつ機内の発射位置に送り込む手段として、打球発射装置と共動される各種形態の球送り装置が採用されて、上球皿と発射レールとの間に実施されている。このような球送り装置の基本的な構成としては、所定の形状,サイズのケース本体に、上球皿の球出口に連通する球受け口(球受け路)と、発射レールの発射位置側に連絡される球送り口とを形成して互いに連絡すると共に、球受け口に入って球送り口から出される遊技球の球送り動作を行なう球送り部材を組付けて双方の口に対する所定位置に臨ませている。そして球送り装置自体の一般的な形態別において、駆動モータ式の打球発射装置に対する併用例では、球送り部材が打球杆の１回毎の作動に機械的な連繋部材を介して１回ずつ連動するタイプ、駆動ソレノイド式の打球発射装置に対する併用例では、球送り部材がケース本体に取着された電磁ソレノイドの作動毎に１回ずつ動作されるタイプが広く使用されている。
【０００３】
前述した何れのタイプの球送り装置にあっても、一般的には上球皿の球出口の裏側、つまり上球皿裏面に組付けられた開閉板の出口裏側に、ケース本体の球受け口(球受け路)を合わせて取着セットされる。そして遊技にあたり、上球皿内に投入された遊技球(遊技中の排出賞球を含む)の最先行側の１個〜複数個を、予め球出口から球受け口内に受入れて一旦停留保持した状態で待機される。このもとで遊技操作(打球発射操作)に基づく球送り部材の動作に追従して球受け口内の第１番目の遊技球を球送り口内に通入させた後に発射位置側へ送込み、以降同様に球の受入れおよび送出しを含む球送り動作を行なうようになっている。これにより、設定時間間隔(１００個／分以内)で継続される打球発射作動に合わせて１回ずつ球送り動作を遂行して、遊技球を発射位置に送込み、待機させることが可能とされている。
【０００４】
【発明が解決しようとする課題】
ところで従来の遊技機に実施されている球送り装置については、前述した何れの球送り作動形態にあっても、ケース本体の球受け口(球受け路)に入った先行球が、次の球以降(上球皿内の遊技球を含む)の圧力を受けた状態で球送り口から発射レール側に送込まれるために、上球皿内の遊技球の増減変化により１球毎の発射位置への送込みおよび着座静止状態に時間的なバラツキが生じ易く、この結果、打球発射装置の設定時間毎の作動において、打球杆による的確な打出しが保証しにくくなり、球飛びの不安定を招き易かった。また従来の球送り装置にあっては、遊技者自身による上球皿での球抜きにおいて、既に球受け口(球受け路)内に通入されている個数分の球については、到底抜出し得ないまま残ってしまう。そこでこのような目視不能な残留球の取扱い,処理として、「再び打出したりファール球(戻り球)として回収する」場合には、遊技者自信が多少煩わしい思いをする程度であるとしても、「そのまま装置内に残しておく」場合には、当該遊技者と事情の知らない後からの別遊技者との間で、残留球の所有や当該遊技機に対する優先使用等を巡ってトラブルを招く大きな問題があった。
【０００５】
【発明の目的】
本発明は、前述した課題を解決するべく提案されたものであって、打球発射作動に対応した１回毎の球送り動作において、遊技球用の通路の入口側と出口側とを交互に開閉して１回ずつの遊技球を安定良く受入れて発射位置に円滑に送込み得ると共に、上球皿側での球抜き時に球送り経路内に球を残さないようにした小型で安価な球送り装置を提供することを目的とする。
【０００６】
【課題を解決するための手段】
前記課題を克服し、所期の目的を達成するため本発明は、パチンコ用の遊技球を打球発射装置により遊技盤内に打込んでパチンコゲームを展開し得る遊技機に実施されて、遊技球を１球ずつ発射レールの発射位置に送込むようにした球送り装置にあって、
遊技機の前側に開閉可能に装着された上球皿の裏側所定位置に取着セットされるケース体と、このケース体内に組付けられて前記打球発射装置の打球作動にタイミングを合わせて作動される球送りソレノイドと、同じくケース体内に組付けられて該球送りソレノイドの作動毎に球送り動作を行なう球送り体とを備え、
前記ケース体では、前記上球皿の球出口に連通されると共に前記発射位置側に連絡可能とされて遊技球１球分の広さに設定された通路を形成し、
前記球送り体は、
前記球送りソレノイドが消磁した際に下降してケース体内に設けられた第１のストッパーにより下降端位置に保持された第１の規制状態と、該球送りソレノイドが励磁した際に上昇してケース体内に設けられた第２のストッパーにより上昇位置に保持された第２の規制状態とに昇降揺動変化可能に構成されると共に、
前記第１の規制状態において、前記通路入口側の球受け口に臨んで、前記球出口に臨む最先行の遊技球を停止させ通路内への流入を阻止すると共に、前記第２の規制状態において、該球受け口外に位置して前記最先行の遊技球を解放して通路内への流入を許容する第１規制部と、
前記第１規制部に対して遊技球の１球分の内法間隔で前記通路出口側に離間し、前記第１の規制状態において通路出口側の球送り口外に位置して通路内の遊技球を解放して発射位置へ自重で転出させると共に、前記第２の規制状態において該球送り口に臨んで受入れられた遊技球を通路内に停止させる第２規制部とを備え、
前記球送り体の第１,第２の規制状態の変化により前記球出口から遊技球を１球毎にケース体内に受入れて球圧を受けることなく分離したまま発射位置に送出するよう設定されると共に、前記第１の規制状態が作動前の状態とされて、この状態ではケース体内に遊技球が残留しないようにしたことを特徴とする。
【０００７】
【作用】
球送り体は、本体と球送り用の第１規制片および第２規制片を合わせて樹脂成形され、ケース体の収容室内に収容された状態で、該第１規制片および第２規制片を通路側に指向した状態で配設されている。この球送り体は、打球発射装置の打球作動にタイミングを合わせて作動される適宜駆動手段により昇降変化され、該駆動手段の非作動状態では自重により下降位置に保持されて、前記第１規制片を通路の入口側の球受け口内に位置させると共に、第２規制片を通路の出口側の球送り口外に位置させる。また駆動手段の作動状態では、球送り体は上昇位置に変位して保持され、前記第１規制片を通路の入口側の球受け口外に位置させると共に、第２規制片を通路の出口側の球送り口内に位置させる。
【０００８】
従って上球皿Ｄからの先行球は、前記駆動手段の作動前において、通路の球受け口内に位置した第１規制片により球出口内の前側で待機している。そして、前記駆動手段の作動により球送り体が上昇変位すると、前記先行球は第１規制片から解放されて通路に受入れられた後に、球送り口内に突出している第２規制片で一旦停止される。次に前記駆動手段の作動が停止して球送り体が元の下降位置へ復帰すると、前記第１規制片が球受け口内へ突出して次行球と通路内の先行球とを分離すると共に、第２規制片が球送り口外に退避して該先行球を解放する。すなわち先行球は、次行球およびそれ以後の球による圧力を一切受けることなく自重で球送り口裏側へ転出して発射レールの基部上に送出され、そのまま発射位置へ着座静止する。
【０００９】
【発明の実施の形態】
次に、本発明に係るパチンコ遊技機の球送り装置について、好適な実施例を挙げて、添付図面を参照しながら以下詳細に説明する。なお、本実施例の球送り装置については、ソレノイド駆動形式の打球発射装置を装備したパチンコ機およびアレンジボール機の何れにも簡単な変更で使用可能とされた電磁ソレノイド式の球送り装置にあって、便宜上パチンコ機に使用された場合を主に説明する。
【００１０】
先ず本実施例のパチンコ機について、その基本的構成を図１,図２および図３を参照して要約説明すると、外枠Ａの開口全面側に対して開閉および着脱が可能に組み付けられた前枠Ｂにおいて、共通の遊技構成部材であるガラス窓Ｃと上球皿Ｄが開閉および着脱可能に組付けセットされると共に、下球皿Ｅと打球発射装置Ｆが装備セットされており、また裏側に球処理部等を備えた機構セット盤(図示しない)が装備されている。前枠Ｂでは、全体が合成樹脂成形されたタイプにおいて、内側に窓枠口２を開口した枠体１と、この枠体１の裏側に一体成形されて窓枠口２の正面内部に臨む遊技盤用のセット口５を開口した保持枠４とが、前後に連設された内外二重枠形態とされている。そして枠体１においては、窓枠口２の下部に下球皿Ｅおよび打球発射装置Ｆの一部等を設置するための設置部３が成形され、一方保持枠４においては、窓枠口２の下部内側に位置する遊技補助盤６が一体成形されて、その前面右側に発射レール７が位置決め固定されており、またこの補助盤６の上端緑を基準に開口成形されたセット口５に遊技盤Ｇを着脱可能に収容セットし得るようになっている。
【００１１】
このようなパチンコ機において、前記上球皿Ｄでは複数の皿構成部材を組合わせてユニット化され、前枠Ｂの枠体１の左端側に横開きおよび着脱可能に装着される１枚の開閉板８前面に組付けセットされており、そして開閉板８の裏面には最下流端(図示右端)に成形された球出口９に連絡される後述の球送り装置Ｈがセットされ、また球出口９底面に連絡された内部の球抜き経路１０に対して球抜き機構１１が組込まれている(図１,図３および図５参照)。一方前記下球皿Ｅでは、前枠Ｂの枠体１の設置部３全面に取着される１枚のセット支板と複数の皿構成部材とを組合わせてユニット化されており、そして上球皿Ｄの球抜き経路１０と連通する球戻し路１２と球抜き機構１３が夫々成形,組込まれ(図２参照)、また右側部に打球発射装置Ｆの操作ハンドル部Ｆ1を組付けセットするための保持部１４が成形されている(図２参照)。ちなみに、双方の球皿Ｄ,Ｅは共に図示外郭形状に構成されて、下球皿Ｅの水平上面に上球皿Ｄが整合状態で載置保持されるようになっている。
【００１２】
また前記打球発射装置Ｆでは、駆動源にロータリー式ソレノイド(発射ソレノイドともいう)を有する形態で、基本的な構成として図１,図２,図３および図４に示すように、球円筒形グリップ状にユニット構成されて下球皿Ｅの保持部１４に着脱可能に組付けセットされた操作ハンドル部(単にハンドル部ともいう)Ｆ1と、前枠Ｂの設置盤３裏側にベース単位で設置されてハンドル部Ｆ1での検出入力条件に基づいて発射ソレノイド２３の駆動および打球杆２４の動作を行なう打球作動部Ｆ2と、この作動部Ｆ2を制御する駆動制御部Ｆ3等を備えている。ハンドル部Ｆ1では、図３および図４に略示するように、回動式の操作レバー１６を有する把持体１５に、電気的な操作用入力手段としての可変抵抗器(ボリュームスイッチともいう)１７、スイッチ１８およびタッチ感知環１９が組付けられて、これらの入力手段１７,１８,１９が把持体１５内の集合コネクタ２０に集約して配線接続され、同コネクタ２０に接続した中継コネクタ２１および配線Ｉを介して駆動制御部Ｆ3に接続される。また打球作動部Ｆ2では、図３および図４に略示するように、１枚のベース板２２に設置された発射ソレノイド２３により打球杆２４を往復回動させて、前記発射レール７の発射位置Ｔに着座した遊技球を当打するようになっている。
【００１３】
一方前記駆動制御部Ｆ3では、球送り・発射に係る各々の電気的部品の総括的な入出力制御をなすもので、図３および図４に示すように、打球作動部Ｆ2のベース板２２裏側に着脱可能に装備され、開蓋可能なケース２５内に、必要な回路を構成した回路基板２６が内蔵されており、この基板２６に配置された図示５個の接続具２７,２８,２９,３０および３１を利用して、図４中右側から順に電源(ＡＣ２４Ｖ)、発射ソレノイド２３、後述の球送りソレノイド(駆動手段)３９、操作ハンドル部Ｆ1内の可変抵抗器１７、スイッチ１８およびタッチ感知環１９が、夫々の配線等を介して接続される。但し、前記中継コネクタ２１に接続された配線Ｉは、図４に示すように、設置盤３に開口された孔３ａから裏側へ延出され、可変抵抗器１７用の３本と、スイッチ１８およびタッチ感知環１９用の３本とに区分されて、図示左側の２つの接続具３０,３１に接続される。なお回路基板２６には、タッチ感度と球飛び励磁力を調整するための調整具(可変抵抗器)３２Ａ,３２Ｂが付設されており、また同基板２６のタッチ回路(図示しない)と前記タッチ感知環１９とを合わせて、便宜上タッチスイッチともいう。
【００１４】
前述したパチンコ機に実施された本実施例の球送り装置Ｈは、前記打球発射装置Ｆの打球作動とタイミングを合わせて球送り作動を行ない得る電動制御部形態の例にあって、基本的な構成として図３,図５および図６に示すように、合成樹脂成形された１つのケース体３３に、作動源である電磁ソレノイド(球送りソレノイドともいう)３９と、昇降レバー形式の球送り体４３とを組付けて、全体がカセット形式に構成されて取扱い得るようになっている。そして前記上球皿Ｄの開閉板８裏面において、ケース体３３が球出口９に合わせて着脱可能にビス止めセットされて、球送りソレノイド３９が前記駆動制御部Ｆ3に接続されたもとで、前記操作ハンドル部Ｆ1での入力条件(スイッチ１８およびタッチ感知環１９の検出条件)に基づいて、球送りソレノイド３９が設定時間毎に１回ずつパルス制御作動されることに対して、球送り体４３が１回毎に昇降変化して遊技球１個ずつに対する球送り動作を行ない、球出口９から受入れた球を前記発射レール７の発射位置Ｔに送出し得るようになっている。
【００１５】
このような球送り装置Ｈにおける各部の具体的な構成として、先ずケース体３３では、その中央部に前記球出口９裏面に整合して発射位置Ｔ側に連絡し得る１つの通路３４を球１個分に適した広さをもって成形して、前側開口域を球受け口３５、後側開口域を球送り口３６としており、そして通路３４の側方に球送りソレノイド３９の取着部３７と、球送り体４３の収容室３８とを夫々成形している。また球送りソレノイド３９では、ケース体３３の取着部３７にビス着される支持鉄片４０の一方にコイルを巻回した磁力発生部(ボビンともいう)４１を装着して、１部品単位で構成されて取扱い得るようになっている。そして、前記駆動制御部Ｆ3からのパルス通電制御により磁力発生部４１で発生した磁力を、支持鉄片４０の一端の磁着部４２に集中的に作用させて、球送り体４３を昇降操作し得るようになっている。なお、このソレノイド３９の磁力発生部４１に接続された配線は、前記上球皿Ｄの開閉板８裏側から前枠Ｂの設置部３裏側を経由して、駆動制御部Ｆ3の回路基板２６の接続具(図４中右から第３番目)２９に接続される。
【００１６】
一方球送り体４３は、図７に示すように、本体４４と球送り用の前後の第１規制片(第１規制部)４５および第２規制片(第２規制部)４６を合わせて１つに樹脂成形されて本体４４の上辺に磁性片(鉄片)４７を取着しており、ケース体３３の収容室３８内に横向きに収容された状態で、本体４４の上側端が支軸４８に支持されて第１、第２規制片４５,４６を通路３４側に延出している。そしてこの球送り体４３は、収容室３８に設けたストッパー４９,５０により昇降位置,変位量が規制されているもとで、球送りソレノイド３９の励磁,消磁に伴い磁着部４２および磁性片４７を介して昇降変化し得、作動前では自重により下降端位置に保持されて第１規制片４５を球受け口３５の前側内に位置させて第２規制片４６を球送り口３６外に位置させた第１の規制状態とされ、また作動時では上昇位置に保持されて第１規制片４５を球受け口３５外に位置させて第２規制片４６を球送り口３６内に位置させた第２の規制状態とされるようになっている。そして双方の規制片４５,４６は、互いに１球分に適した内法間隔を以って前後の上下に適宜変位しており、第２規制片４６が球送り口３６の開閉(球の停止,解放)を行なうことに対して第１規制片４５は前記球出口９の開閉をも行ない、同球出口９に臨む球と通路３４に入った球とを分離するようになっている。
【００１７】
そして本実施例の球送り装置Ｈでは、その余の構成として遊技球の検出機能が選択可能に付加されて、アレンジボール機(毎回の図柄組合わせゲームに所定数の遊技球が必要とされる遊技機)にも実施し得るようになっている。すなわち図３,図５および図６に例示するように、前記ケース体３３の裏側において、通路３４の側部に成形された凹部５１に検出具５２が着脱可能に組込まれてビス着された蓋片５３で保持されており、この検出具５２により通路３４内の球の有無および発射位置Ｔへ１個ずつ送出される遊技球を検出確認したりカウント検出し得るようになっている。なお検出具５２は、近接スイッチやセンサー等の無接点タイプが好適に使用可能とされて、当該遊技機のメイン基板(遊技用制御基板)の球検出回路部(共に図示しない)側に接続することもできる。そしてこの検出具５２を利用すれば、遊技球がない場合における球送りソレノイド３９および発射ソレノイド２３の不要な作動を規制して一時的に停止させることの技術設定が可能とし得る。ちなみに、検出具５２を前記駆動制御部Ｆ3側に接続する場合には、同検出具用の接続具を配置した回路基板が使用される。また遊技球の検出不要な場合には、検出具５２が省略(取外し)される。
【００１８】
なお、本実施例の球送り装置Ｈのソレノイド３９と前記打球発射装置Ｆのソレノイド２３との作動については、駆動制御部Ｆ3でのパルス出力制御に基づいて図８に例示するように１球分単位で設定されている。すなわち、操作ハンドル部Ｆ1でのスイッチ検出入力条件とタッチ検出入力条件が回路基板２６に入力されているもとで、第１パルスＰ1により球送りソレノイド３９が励磁・消磁されて球送り体４２を昇降作動させる。一方、前記２つの検出入力条件に加えてボリューム調整条件が回路基板２６に入力されているもとで、第２パルス(１サイクル毎のデューティ比調整されたパルス)Ｐ2により発射ソレノイド２３が励磁・消磁されて打球杆２４を往復回動させる。そして、双方のパルスＰ1,Ｐ2を合わせて１球分単位毎の基本１サイクルＳとして制御設定されて、１球毎の球送り・打球作動が確動安定化されている。ちなみに、基本１サイクルＳ毎のパルス制御においては、操作ハンドル部Ｆ1での打球操作を解除した(手を離した)としても、両ソレノイド３９,２３が当該回の作動を行なって１球分の球送り・打出しをなし得るようになっている。
【００１９】
【実施例の作用】
前述のように構成された本実施例のパチンコ機では、外枠Ａに対する前枠Ｂに、図１および図２に略示する共通の遊技構成部材Ｃ,Ｄ,Ｅ,Ｆおよび所定の遊技盤Ｇが夫々装備セットされて１台毎に構成される。そして、遊技ホール内の設置枠台(図示しない)に所定の傾き起立姿勢で設置された外枠Ａに、前枠Ｂ全体を組付けセットして電源投入保持(通電保持)することにより、縦型弾球遊技機として遊技に供し得る。そして遊技の開始にあたり、打球発射装置Ｆの操作ハンドル部Ｆ1で打球操作を行なうことにより、可変抵抗器１７,スイッチ１８およびタッチスイッチ１９の検出入力条件が駆動制御部Ｆ3に入力されているもとで、球送り装置Ｈの球送り作動に基づいて遊技球を１球ずつ発射レール７側へ送込んで発射位置Ｔに着座保持し、これに次いで打球作動部Ｆ2の発射ソレノイド２３の通電駆動励磁に従って往復動する打球杆２４で遊技球を打出すと共に発射レール７上を発射させて遊技盤Ｇ内に打込み、所要のパチンコゲームを展開し得る。
【００２０】
このようなパチンコ機に実施される本実施例の球送り装置Ｈは、基本的な球送り作動として、球送りソレノイド３９の作動制御に対する球送り体４２の第１、第２の状態変化において、上球皿Ｄからの遊技球を１個ずつ受入れて分離状態で送出すようになっている。すなわち装置Ｈ自体の作動前においては、図９(ａ)および図９(ｂ)に示すように、球送りソレノイド３９が休止(消磁)条件であることに対して、球送り体４３が下降端位置に保持されてその第１規制片４５を通路３４の球受け口３５内に位置させて上球皿Ｄの球出口９を閉鎖している第１の規制状態にある。このため上球皿Ｄ内に投入された遊技球の最先行球は、第１規制片４５で停止されたまま球出口９内の前側で待機する。このもとで前述した打球操作によるスイッチ１８およびタッチスイッチ１９の検出入力条件において、駆動制御部Ｆ3からのパルス制御により球送りソレノイド３９が励磁されると、磁着部４２および磁性片４７を介して球送り体４３が、図１０(ａ)および図１０(ｂ)に示すように上昇傾動した第２規制状態に保持される。これにより、前記最先行球が第１規制片４５から開放されて通路３４に受入れられて、球送り口３６内に突出している第２規制片４６で一旦停止される。
【００２１】
そして、前記球送りソレノイド３９が休止(消磁)状態に復元されることに対して球送り４３が磁力開放されて、自重で図９(ａ)および図９(ｂ)に示す下降端位置の第１規制状態に復帰保持される。これにより、第１規制片４５が球受け口３５内に位置して球出口９裏側を閉鎖し、同口９内に臨む次の球を停止して通路内の最先行球と分離する一方、第２規制片４６が球送り口３６外に退避(没入)して最先行球を解放する。この結果、図９(ｂ)中に想像線で例示するように、最先行球が次の球以降の圧力を一切受けることなく自重で球送り口４６裏側へ転出して発射レール７の基部上に送出され、そのまま降下して発射位置Ｔに着座静止される。そうして、この球が前記打球発射装置Ｆの打球杆２４で打出された後において、前述と同様に球送りソレノイド３９の励磁により球送り体４３が第２規制状態に変化することにより、球出口９内の次の球が通路３４に受入れられて一旦停止され、次いで球送りソレノイド３９の休止により球送り体４３が第１規制状態に復元することにより、以降の球を一旦停止したもとで通路３４内の球を解放して発射位置Ｔ側へ送出すものである。
【００２２】
このように本実施例の球送り装置Ｈでは、球送りソレノイド３９の１回毎の作動制御(励磁,消磁)に対する球送り体４３の第１,第２規制状態の変化により前述したような１球毎の分離球送り作動を行ない得るものであるから、上球皿Ｄの遊技球(排出された賞球を含む)の増減圧力変化に影響されることなく、設定時間毎に１球ずつを円滑に受入れて分離したまま送出すことができ、これにより発射位置Ｔでの球の着座状態の安定化を維持して、打球杆２４による的確な打出しを確保することができるものである。またこの装置Ｈにあって、ケース体３３に検出具５２が取着されている場合には、同検出具５２により通路３４内の球の有無や発射位置Ｔへ送込まれる遊技球１個ずつを検出することができる。なお、打球操作における球送り・発射作動にあって上球皿Ｄ内の遊技球がなくなった場合では、球送りソレノイド３９が正常な作動制御を行なうことに対して、検出具５２は球なし状態を検出することになる。従って、この検出具５２を利用して“球なし検出時"には、球送りソレノイド３９更には発射ソレノイド２３の作動を規制・停止して、空作動を制止することが可能である。
【００２３】
また本実施例の球送り装置Ｈによれば、上球皿Ｄ側での球抜き時にケース体３３内に球を受入れることなく全ての遊技球の抜出しを可能とし得る。すなわちこの装置Ｈでは、前述したように作動前または復元時の第１規制状態にあっては、第１規制片４５が球出口９裏側および通路３４の球受け口３５の前側を閉鎖して遊技球を通路３４に受入れない条件に保持されている。このため遊技の終了等にあたり、上球皿Ｄ側の球抜き機構１１を開放操作した場合には、球出口９底面の開閉片１１Ａ(図３,図９および図１０参照)を開放位置に保持したもとで、全ての遊技球を球出口９から球抜き経路１０および球戻し路１２を介して下球皿Ｅ側へ抜出すことができ(図２参照)、通路３４内への通入を阻止してその残留球の取扱い,処理の手間を省くことができる。なお下球皿Ｅでは、球抜き機構１３を開放操作することにより、皿外に用意された球箱(図示しない)に排出することができる。
【００２５】
【発明の効果】
以上説明した如く、本発明に係るパチンコ遊技機の球送り装置によれば、球送りソレノイドの一回毎の作動制御に対する球送り体の昇降揺動変化により１球毎の分離球送り作動を行ない得るものであるから、上球皿の遊技球の増減圧力変化に影響されることなく、設定時間毎に１球ずつを円滑に受入れて分離したまま送出することができ、これにより発射位置での球の着座状態の安定化を維持して、打球杆による的確な打出しを確保すると共に球飛びの安定化を図り得る利点がある。またこの球送り装置にあって、ケース体に検出具が取着されている場合には、同検出具により通路内の球の有無や発射位置へ送込まれる遊技球１個ずつを検出することができる。従ってこの検出具を利用すれば、球送り装置に遊技球がない場合には、球送りソレノイドの作動の規制・停止を行なうことが可能となり、これら球送り装置の空作動を制止し得る有益な効果を奏する。
【００２６】
また、球送りソレノイドの非作動による球送り体の下降位置への保持状態にあっては、第１規制部が球出口側および通路の球受け口の前側を閉鎖して遊技球を通路に受入れない条件に保持されているので、上球皿での球抜き時にケース体内に球を受入れることなく全ての遊技球の抜出しを可能とし得る。従って、目視不能な残留球が存在しないので、当該遊技機に対する遊技者の該残留球の取扱いや処理の煩わしさを解消すると共に、遊技者同志の間での残留球の所有や当該遊技機に対する優先使用を巡るトラブル等が好適に防止される。
【図面の簡単な説明】
【図１】本実施例のパチンコ機を前側開放状態で略示する正面図である。
【図２】前枠および下球皿の要部と打球発射装置の一部とを示す正面図である。
【図３】打球発射装置および球送り装置を主に示す平断面図である。
【図４】打球発射装置の駆動制御部を分離して示す背面図である。
【図５】上球皿の一部および球送り装置を示す背面図である。
【図６】球送り装置の前面側の正面図である。
【図７】球送り装置の要部を示す断面図である。
【図８】球送り・打球作動のパルス制御設定側を示す説明図である。
【図９】球送り装置の作動前状態を示す動作説明図である。
【図１０】球送り装置の作動時状態を示す動作説明図である。
【符号の説明】
７  発射レール
９  球出口
３３  ケース体
３４  通路
３５  球受け口
３６  球送り口
３９  球送りソレノイド
４３  球送り体
４５  第１規制片(第１規制部)
４６  第２規制片(第２規制部)
４９  ストッパー(第１のストッパー)
５０  ストッパー(第２のストッパー)
５２  検出具
Ｄ  上球皿
Ｆ  打球発射装置
Ｇ  遊技盤
Ｔ  発射位置
【図１】
0003796674.tif 000002
【図２】
0003796674.tif 000003
【図３】
0003796674.tif 000004
【図４】
0003796674.tif 000005
【図５】
0003796674.tif 000006
【図６】
0003796674.tif 000007
【図７】
0003796674.tif 000008
【図８】
0003796674.tif 000009
【図９】
0003796674.tif 000010
【図１０】
0003796674.tif 000011